(57)【要約】  稼働させられるときに音波を作り出す第１の電気音響ドライバと；ドライバが固定される第１の側及び第１の側の反対側の第２の側を有するハウジングと；ハウジングの第１の側に固定される第１のパッシブラジエータ及びハウジングの第２の側に固定される第２のパッシブラジエータと；実質的に第１のパッシブラジエータと第２のパッシブラジエータとの間の領域においてハウジングに取り外し可能に固定される単一のバッテリーモジュールであって、バッテリーがドライバに電力を提供し、ドライバからの音波が第１のパッシブラジエータ及び第２のパッシブラジエータに音響的にエネルギーを与えることができる、バッテリーモジュールと、を備えるポータブルラウドスピーカー。
2016524410.tif 000002
【特許請求の範囲】
【請求項１】
稼働させられるときに音波を作り出す第１の電気音響ドライバと；
前記第１の電気音響ドライバが固定される第１の側と、前記第１の側の反対側の第２の側と、を有するハウジングと；
前記ハウジングの前記第１の側に固定される第１のパッシブラジエータ及び前記ハウジングの前記第２の側に固定される第２のパッシブラジエータと；
実質的に前記第１のパッシブラジエータと前記第２のパッシブラジエータとの間の領域において前記ハウジングに取り外し可能に固定された単一のバッテリーモジュールであって、前記バッテリーモジュールが前記第１の電気音響ドライバに電力を提供し、前記第１の電気音響ドライバからの前記音波が、前記第１のパッシブラジエータ及び前記第２のパッシブラジエータに音響的にエネルギーを与えることができる、バッテリーモジュールと；
を備えることを特徴とするポータブルラウドスピーカー。
【請求項２】
前記ハウジングの前記第１の側に固定される第２の電気音響ドライバをさらに備え、
前記第１の電気音響ドライバ及び前記第２の電気音響ドライバ双方が、前記第１のパッシブラジエータの両側に位置づけられていることを特徴とする請求項１に記載のポータブルラウドスピーカー。
【請求項３】
前記バッテリーモジュールが、前記第１のパッシブラジエータと前記第２のパッシブラジエータとの間の中央に配置されていることを特徴とする請求項１に記載のポータブルラウドスピーカー。
【請求項４】
前記第１のパッシブラジエータ及び前記第２のパッシブラジエータの少なくとも一方の最大偏位が、前記少なくとも一方のパッシブラジエータと前記バッテリーモジュールとの間の距離のすべてを実質的に越えることを特徴とする請求項１に記載のポータブルラウドスピーカー。
【請求項５】
前記第１のパッシブラジエータ及び前記第２のパッシブラジエータが、ダイアフラムのための包囲部を備え、前記包囲部が、第１のメンブレンセクション及び第２のメンブレンセクションを備え、前記第１のメンブレンセクションが、凹状断面を備え、前記第２のメンブレン部材が、凸状断面を備えていることを特徴とする請求項１に記載のポータブルラウドスピーカー。
【請求項６】
前記第１のパッシブラジエータ及び前記第２のパッシブラジエータの第１のメンブレンセクション及び第２のメンブレンセクションが、前記ダイアフラムに沿って周方向において交互に並んでいることを特徴とする請求項４に記載のポータブルラウドスピーカー。
【請求項７】
前記第１のパッシブラジエータ及び前記第２のパッシブラジエータの少なくとも一方が、前記ダイアフラムに接着されたウエイトを備え、前記ウエイトが、複数のノッチを備え、前記ノッチが、前記ダイアフラムを形成するための成形プロセスの間に前記ダイアフラムの成形材料で満ちることを特徴とする請求項４に記載のポータブルラウドスピーカー。
【請求項８】
前記第１の電気音響ドライバ及び前記第１のパッシブラジエータを覆う第１のスピーカーグリル、及び前記第１のスピーカーグリルを前記ハウジングに取り付ける前方スピーカーガスケットと；
前記前方スピーカーガスケットの第１の側に配置され且つ前記ハウジングに向かって延在する複数の第１のエネルギー誘導体であって、前記第１のスピーカーグリルと前記ハウジングとの間の振動を最小化するように構成された、第１のエネルギー誘導体と；
をさらに備えることを特徴とする請求項１に記載のポータブルラウドスピーカー。
【請求項９】
前記第１の側の反対側の前記前方スピーカーガスケットの第２の側に配置され且つ前記第１のスピーカーグリルに向かって延在する複数の第２のエネルギー誘導体をさらに備え、前記第２のエネルギー誘導体が、前記前方スピーカーグリルと前記前方スピーカーガスケットとの間の振動を最小化するように構成されていることを特徴とする請求項８に記載のポータブルラウドスピーカー。
【請求項１０】
音源に無線接続するように構成されていることを特徴とする請求項１に記載のポータブルラウドスピーカー。
【請求項１１】
前記第１の電気音響ドライバの振動面及び前記第１のパッシブラジエータの振動面が、略同一平面上にあることを特徴とする請求項１に記載のポータブルラウドスピーカー。
【請求項１２】
前記第１のパッシブラジエータ及び前記第２のパッシブラジエータの振動面が、略平行であることを特徴とする請求項１に記載のポータブルラウドスピーカー。
【請求項１３】
前記第１のパッシブラジエータ及び前記第２のパッシブラジエータが、音響的に互いに同位相で且つ機械的に互いに異なる位相で振動することを特徴とする請求項１に記載のポータブルラウドスピーカー。
【請求項１４】
前記バッテリーモジュールが、前記第１のパッシブラジエータと前記第２のパッシブラジエータとの間の略中央に配置されていることを特徴とする請求項１３に記載のポータブルラウドスピーカー。
【請求項１５】
前記ハウジングが、前記第１の電気音響ドライバ及び前記第２の電気音響ドライバと前記第１のパッシブラジエータとを受けるための第１の押出開口部と、前記第２のパッシブラジエータを受けるための、前記第１の押出開口部の反対側の第２の押出開口部と、を有する押出アルミニウムを含むことを特徴とする請求項２に記載のポータブルラウドスピーカー。
【請求項１６】
稼働させられるときに音波を作り出す第１の電気音響ドライバと；
前記第１の電気音響ドライバが固定される第１の側と、前記第１の側の反対側の第２の側と、を有するハウジングと；
前記ハウジングの前記第１の側に固定される第１のパッシブラジエータ及び前記ハウジングの前記第２の側に固定される第２のパッシブラジエータであって、前記第１のパッシブラジエータ及び前記第２のパッシブラジエータが、略同一平面上にある第１の振動面及び第２の振動面を備える、第１のパッシブラジエータ及び第２のパッシブラジエータと；
実質的に前記第１のパッシブラジエータと前記第２のパッシブラジエータとの間の領域において前記ハウジングに取り外し可能に固定された単一のバッテリーモジュールであって、前記バッテリーモジュールが、前記第１の電気音響ドライバに電力を提供し、前記第１の電気音響ドライバからの前記音波が、前記第１のパッシブラジエータ及び前記第２のパッシブラジエータに音響的にエネルギーを与えることができる、バッテリーモジュールと；
を備えるポータブルラウドスピーカーであって、
前記第１のパッシブラジエータ及び前記第２のパッシブラジエータの少なくとも一方の最大偏位が、前記少なくとも一方のパッシブラジエータと前記バッテリーモジュールとの間の距離のすべてを実質的に越えることを特徴とするポータブルラウドスピーカー。
【請求項１７】
前記ハウジングの前記第１の側に固定される第２の電気音響ドライバをさらに備え、前記第１の電気音響ドライバ及び前記第２の電気音響ドライバの双方が、前記第１のパッシブラジエータの両側に位置づけられていることを特徴とする請求項１６に記載のポータブルラウドスピーカー。
【請求項１８】
前記バッテリーモジュールが、前記ハウジング内の前記領域において前記第１のパッシブラジエータと前記第２のパッシブラジエータとの間の略中央に配置されていることを特徴とする請求項１６に記載のポータブルラウドスピーカー。
【請求項１９】
前記第１のパッシブラジエータ及び前記第２のパッシブラジエータが、音響的に互いに同位相で且つ機械的に互いに異なる位相で振動することを特徴とする請求項１６に記載のポータブルラウドスピーカー。
【請求項２０】
前記ドライバが固定される第１の側と、前記第１の側の反対側の第２の側と、を有するハウジングと；
前記ハウジングの前記第１の側に固定される第１のパッシブラジエータ及び前記ハウジングの前記第２の側に固定される第２のパッシブラジエータであって、前記第１のパッシブラジエータ及び前記第２のパッシブラジエータが、略同一平面上にある第１の振動面及び第２の振動面を備えている、第１のパッシブラジエータ及び第２のパッシブラジエータと；
前記第１のパッシブラジエータの第１の側に位置づけられた第１の電気音響ドライバ、及び前記第１の側の反対側の前記第１のパッシブラジエータの第２の側に位置づけられた第２の電気音響ドライバであって、前記第１の電気音響ドライバ及び前記第２の電気音響ドライバが、稼働させられるときに音波を作り出す、第１の電気音響ドライバ及び第２の電気音響ドライバと、
実質的に前記第１のパッシブラジエータと前記第２のパッシブラジエータとの間の領域において前記ハウジングに取り外し可能に固定される単一のバッテリーモジュールであって、前記バッテリーモジュールが、前記ドライバに電力を提供し、前記第１の電気音響ドライバ及び前記第２の電気音響ドライバからの前記音波が、前記第１のパッシブラジエータ及び前記第２のパッシブラジエータに音響的にエネルギーを与えることができる、バッテリーモジュールと；
を備えることを特徴とするポータブルラウドスピーカー。
【発明の詳細な説明】
【技術分野】
【０００１】
本開示は、オーディオデバイスに関し、特にポータブルラウドスピーカーに関する。
【先行技術文献】
【特許文献】
【０００２】
【特許文献１】米国特許第８０９８８６７号明細書
【発明の概要】
【発明が解決しようとする課題】
【０００３】
Hamptonらによる特許文献１は、モバイルデバイス（２００）に取り付けるための外部音響チャンバ（２２０）を開示している。外部音響チャンバ（２２０）は、モバイルデバイス（２００）のオーディオ性能を最適化させ、従って、信号等化及び／又はサウンド信号を増幅するためのハードウエアの必要性を減少させる。モバイルデバイス（２００）は、ラウドスピーカー（２０５）と、ラウドスピーカー（２０５）に音響的に結合した第１の音響チャンバ（２０７）と、を含んでいる。外部音響チャンバ（２２０）は、少なくとも、第１の音響チャンバ（２０７）に入る第２の音響チャンバ（２２２）を備え、第１の音響チャンバ（２０７）に体積を加える。複合的なより大きな体積は、第１の音響チャンバ（２０７）内で圧力によって引き起こされるラウドスピーカー（２０５）の減衰を減少させる。結果として、ラウドスピーカー（２０５）の固有周波数応答に近づく、ラウドスピーカー（２０５）の周波数応答の改善が得られる。少なくとも第２の音響チャンバ（２２２）は、音響チャンバ（２２０）の第１の外面部分が、モバイルデバイス（２００）のハウジング（２０１）内に据え付けられたバッテリー（２１４）を覆うか又はバッテリーと同一平面にあるようなサイズとされて成形される。第１の外面部分は、少なくとも第２の音響チャンバ（２２２）を包囲する第２の外面部分と略整列させられている。上記の開示の影響として、モバイルデバイス（２００）が外部音響チャンバ（２２０）の追加によって実質的により大きくされ且つより重くされる。このようなサイズ及び重量の増大は望ましくない。
【課題を解決するための手段】
【０００４】
一側面では、ポータブルラウドスピーカーは、稼働させられるときに音波を作り出す第１の電気音響ドライバと；第１の電気音響ドライバが固定される第１の側と、第１の側の反対側の第２の側と、を有するハウジングと；ハウジングの第１の側に固定される第１のパッシブラジエータ及びハウジングの第２の側に固定される第２のパッシブラジエータと；実質的に第１のパッシブラジエータと第２のパッシブラジエータとの間の領域においてハウジングに取り外し可能に固定される単一のバッテリーモジュールであって、バッテリーモジュールが第１の電気音響ドライバに電力を提供し、第１の電気音響ドライバからの音波が、第１のパッシブラジエータ及び第２のパッシブラジエータに音響的にエネルギーを与えることができる、バッテリーモジュールと；を含む。
【０００５】
第１の側面の例は、１つ以上の以下の特徴を含むことができる。第２の電気音響ドライバがハウジングの第１の側に固定され、第１の電気音響ドライバ及び第２の電気音響ドライバ双方が第１のパッシブラジエータの両側に位置づけられている。バッテリーモジュールが、第１のパッシブラジエータと第２のパッシブラジエータとの間の中央に配置されている。ラウドスピーカーは、第１のパッシブラジエータ及び第２のパッシブラジエータの少なくとも一方の最大偏位が、少なくとも１つのパッシブラジエータとバッテリーモジュールとの間の距離のすべてを実質的に越えるように構成されている。第１のパッシブラジエータ及び第２のパッシブラジエータが、ダイアフラムのための包囲部を備え、包囲部が、第１のメンブレンセクション及び第２のメンブレンセクションを備え、第１のメンブレンセクションが凹状断面を備え、第２のメンブレン部材が凸状断面を備える。第１のパッシブラジエータ及び第２のパッシブラジエータの第１のメンブレンセクション及び第２のメンブレンセクションが、ダイアフラムに沿って周方向において交互に並んでいる。第１のパッシブラジエータ及び第２のパッシブラジエータの少なくとも一方が、ダイアフラムに接着されたウエイトを備え、ウエイトが、複数のノッチを備え、これらノッチが、ダイアフラムを形成するための成形プロセスの間、ダイアフラムの成形材料で満ちる。第１のスピーカーグリルが第１の電気音響ドライバ及び第１のパッシブラジエータを覆い、前方スピーカーガスケットが第１のスピーカーグリルをハウジングに取り付け、一連の第１のエネルギー誘導体が、前方スピーカーガスケットの第１の側に配置され、且つハウジングに向かって延在し、第１のエネルギー誘導体が、第１のスピーカーグリルとハウジングとの間の振動を最小化するように構成されている。一連の第２のエネルギー誘導体が、第１の側の反対側の前方スピーカーガスケットの第２の側に配置され、且つ第１のスピーカーグリルに向かって延在し、第２のエネルギー誘導体が、前方スピーカーグリルと前方スピーカーガスケットとの間の振動を最小化するように構成されている。ポータブルラウドスピーカーが、音源に無線接続するように構成されてもよい。第１の電気音響ドライバの振動面及び第１のパッシブラジエータの振動面が、略同一平面上にある。第１のパッシブラジエータ及び第２のパッシブラジエータの振動面が、略平行である。第１のパッシブラジエータ及び第２のパッシブラジエータが、音響的に互いに同位相で且つ機械的に互いに異なる位相で振動する。バッテリーモジュールが、第１のパッシブラジエータと第２のパッシブラジエータとの間の略中央に配置されている。ハウジングは、第１の電気音響ドライバ及び第２の電気音響ドライバ並びに第１のパッシブラジエータを受けるための第１の押出開口部と、第２のパッシブラジエータを受けるための、第１の押出開口部の反対側の第２の押出開口部と、を有する押出アルミニウムを含んでいる。
【０００６】
第２の側面で説明されるように、ポータブルラウドスピーカーが、稼働させられるときに音波を作り出す第１の電気音響ドライバと；第１の電気音響ドライバが固定される第１の側と、第１の側の反対側の第２の側と、を有するハウジングと；ハウジングの第１の側に固定される第１のパッシブラジエータ及びハウジングの第２の側に固定される第２のパッシブラジエータであって、第１のパッシブラジエータ及び第２のパッシブラジエータが、略同一平面上にある第１の振動面及び第２の振動面を含む、第１のパッシブラジエータ及び第２のパッシブラジエータと；実質的に第１のパッシブラジエータと第２のパッシブラジエータとの間の領域においてハウジングに取り外し可能に固定される単一のバッテリーモジュールであって、バッテリーモジュールが第１の電気音響ドライバに電力を提供し、第１の電気音響ドライバからの音波が、第１のパッシブラジエータ及び第２のパッシブラジエータに音響的にエネルギーを与えることができる、バッテリーモジュールと；を含む。
【０００７】
第２の側面の例は、１つ以上の以下の特徴を含むことができる。ラウドスピーカーが、第１のパッシブラジエータ及び第２のパッシブラジエータの少なくとも一方の最大偏位が、少なくとも一方のパッシブラジエータとバッテリーモジュールとの間の距離のすべてを実質的に越えるように構成されている。第２の電気音響ドライバが、ハウジングの第１の側に固定され、第１の電気音響ドライバ及び第２の電気音響ドライバ双方が、第１のパッシブラジエータの両側に位置づけられている。バッテリーモジュールは、ハウジング内の領域において第１のパッシブラジエータと第２のパッシブラジエータとの間の略中央に配置されている。第１のパッシブラジエータ及び第２のパッシブラジエータが、音響的に互いに同位相で且つ機械的に互いに異なる位相で振動する。
【０００８】
第３の側面によれば、ポータブルラウドスピーカーが、ドライバが固定される第１の側と、第１の側の反対側の第２の側と、を有するハウジングと；ハウジングの第１の側に固定される第１のパッシブラジエータ及びハウジングの第２の側に固定される第２のパッシブラジエータであって、第１のパッシブラジエータ及び第２のパッシブラジエータが、略同一平面上にある第１の振動面及び第２の振動面を備えている、第１のパッシブラジエータ及び第２のパッシブラジエータと；第１のパッシブラジエータの第１の側に位置づけられた第１の電気音響ドライバ、及び第１の側の反対側の第１のパッシブラジエータの第２の側に位置づけられた第２の電気音響ドライバであって、第１の電気音響ドライバ及び第２の電気音響ドライバが、稼働させられるときに音波を作り出す、第１の電気音響ドライバ及び第２の電気音響ドライバと；実質的に第１のパッシブラジエータと第２のパッシブラジエータとの間の領域においてハウジングに取り外し可能に固定される単一のバッテリーモジュールであって、バッテリーモジュールがドライバに電力を提供し、第１の電気音響ドライバ及び第２の電気音響ドライバからの音波が第１のパッシブラジエータ及び第２のパッシブラジエータに音響的にエネルギーを与えることができる、バッテリーモジュールと、を備える。
【図面の簡単な説明】
【０００９】
【図１】前側、上側及び右側から見たポータブルラウドスピーカーの斜視図である。
【図２】ハウジングがラウドスピーカーの内部構成要素のいくつかを見せるために透明で示された、図１のポータブルラウドスピーカーの斜視図である。
【図３】図１のポータブルラウドスピーカーの分解図である。
【図４】図１のポータブルラウドスピーカーのより詳細な分解図である。
【図５】図１のラウドスピーカーの長さに沿った水平断面図である。
【図６】図１のラウドスピーカーの深さに沿った垂直断面図である。
【図７Ａ】図１のラウドスピーカーのスピーカーグリルガスケットの図である。
【図７Ｂ】図１のラウドスピーカーのスピーカーグリルガスケットの図である。
【図７Ｃ】図１のラウドスピーカーのスピーカーグリルガスケットの図である。
【図７Ｄ】図１のラウドスピーカーのスピーカーグリルガスケットの図である。
【図７Ｅ】図１のラウドスピーカーのスピーカーグリルガスケットの図である。
【図７Ｆ】図１のラウドスピーカーのスピーカーグリルガスケットの図である。
【図７Ｇ】図１のラウドスピーカーのスピーカーグリルガスケットの図である。
【図８Ａ】図１のラウドスピーカーの別のスピーカーグリルガスケットの図である。
【図８Ｂ】図１のラウドスピーカーの別のスピーカーグリルガスケットの図である。
【図８Ｃ】図１のラウドスピーカーの別のスピーカーグリルガスケットの図である。
【図８Ｄ】図１のラウドスピーカーの別のスピーカーグリルガスケットの図である。
【図８Ｅ】図１のラウドスピーカーの別のスピーカーグリルガスケットの図である。
【図９Ａ】図１のラウドスピーカーのパッシブラジエータの図である。
【図９Ｂ】図１のラウドスピーカーのパッシブラジエータの図である。
【図９Ｃ】図１のラウドスピーカーのパッシブラジエータの図である。
【図９Ｄ】図１のラウドスピーカーのパッシブラジエータの図である。
【図９Ｅ】図１のラウドスピーカーのパッシブラジエータの図である。
【図９Ｆ】図１のラウドスピーカーのパッシブラジエータの図である。
【図１０】前側、上側及び右側から見た、図１のポータブルラウドスピーカーで使用するように構成された充電クレードルの斜視図である。
【発明を実施するための形態】
【００１０】
単一のポータブルラウドスピーカーシステムが、ますますコンパクトになっているので、システム内の十分大きな音響体積を確立することと、電気音響ドライバ及びパッシブラジエータの放射面を位置づける、システムのハウジングに適切な表面積を提供することと、における相当なチャレンジが生じ、それにより高品質のオーディオ出力を提供する。取り外し可能な要素、例えば内部バッテリーモジュールが、音響体積にとって代わり、ポータブルラウドスピーカーシステムの表面積と競合する。また、音響体積内の高圧は、ドライバ及び／又はパッシブラジエータとシステムのハウジングとの間の頑丈且つ弾性的なシールを必要とする。本明細書で説明される例は、上記のチャレンジに取り組む。
【００１１】
図１を参照すると、ポータブルラウドスピーカー１００が、ハウジング１０５と、前面に沿った第１のグリル１１０ａと、を含んでいる。いくつかの例では、ハウジングは、押出アルミニウムから作られ、第１のグリル１１０ａは、スチールから作られる。一連のボタン１１５が、ラウドスピーカー１００の頂面に沿って延在し、ラウドスピーカーの稼働を制御する。さまざまな例では、ボタンは、例えば、タクトスイッチ、手動で操作可能な制御面、又はタッチスクリーンの隣接する一連の制御セグメントである。“電源”ボタン１１５ａが、ラウドスピーカー１００をオンまたはオフするために押される。“ミュート”ボタン１１５ｂが、ラウドスピーカー１００をミュート又はミュート解除するために押すことができる。“ボリューム−”ボタン１１５ｃが、ラウドスピーカー１００のボリュームを小さくするために押される。“ボリューム＋”ボタン１１５ｄが、ラウドスピーカー１００のボリュームを大きくするために押される。“ブルートゥース（登録商標）”ボタン１１５ｅが、ブルートゥース（登録商標）音源（図示せず）を選択するために押され、この音源は、無線接続を介してラウドスピーカー１００にオーディオ信号を提供することができる。ラウドスピーカー１００は、ブルートゥース（登録商標）音源デバイス（図示せず）からオーディオ信号を無線で受信することができる。一例では、ブルートゥース（登録商標）ボタン１１５ｅは、ラウドスピーカー１００を、ブルートゥース（登録商標）オーディオデバイスと組み合わせるための発見可能モードにセットするために所定の期間押すこともできる。“補助装置”ボタン１１５ｆが、補助音源（図示せず）を選択するために押され、この補助音源は、配線で接続された電気接続を介してラウドスピーカー１００にオーディオ信号を提供することができる。レンズ１２０が、一連のボタンに沿って延在しており、且つブルートゥース（登録商標）音源と組み合わせられたラウドスピーカー１００のさまざまな稼働状態及びモードを示すために明るくなる一連の図像を覆っており、これらの状態及びモードは、例えば低バッテリーレベルを含んでいる。図像は、いくつかの例ではインモールドラベルプロセス（ＩＭＬ）を使用してレンズ１２０上に形成されてもよい。ＤＣ電源コネクタ１２５が、電力供給部（図示せず）に接続することができ、これにより、ラウドスピーカー１００に電力を供給するか、又はハウジング１０５に固定された（以下で説明される）再充電可能なバッテリーを充電する。ポータブル音源（図示せず）が、一例では３．５ｍｍステレオケーブルを介してコネクタ１３０内の補助装置に接続することができる。
【００１２】
ここで図２を参照すると、ハウジング１０５が透過的に描かれ、第１のスピーカーグリル１１０ａがラウドスピーカー１００の内部構成要素を示すために取り除かれている。ラウドスピーカー１００は、第１のチャンネルオーディオ信号によって駆動される第１の電気音響ドライバ１５０ａと、第２のチャンネルオーディオ信号によって駆動される第２の電気音響ドライバ１５０ｂと、を含んでいる。一例では、第１のチャンネルオーディオ信号は左側のチャンネルオーディオ信号であり、第２のチャンネルオーディオ信号は右側のチャンネルオーディオ信号である。ドライバ１５０ａ，１５０ｂは、すべてハウジング１０５に固定され、且つ稼働させられるときに音波を作り出す。一例では、第１のパッシブラジエータ１６０ａ（ときに“ドロン”と称される）が、ハウジング１０５に固定され、且つ第１のドライバ１５０ａ及び第２のドライバ１５０ｂとハウジング１０５の同じ側に位置づけられている。
【００１３】
一例では、ラウドスピーカー１００の音響筐体は、電気音響ドライバ１５０ａ，１５０ｂがオーディオ信号源によって結合されて駆動されるときに、パッシブラジエータ１６０が音響的に互いに同位相で且つ機械的に互いに異なる位相で振動するように、寸法を定められる。
【００１４】
一例では、第１のドライバ１５０ａ及び第２のドライバ１５０ｂは、ハウジング１０５の両端部に配置され、第１のパッシブラジエータ１６０ａは、第１のドライバ１５０ａ及び第２のドライバ１５０ｂの間に位置決めされている。ドライバ１５０ａ，１５０ｂ及びパッシブラジエータ１６０ａの各々は、概略同じ方向に音響エネルギーを放射する。また、ハウジング１０５は、複数の回路基板を収容しており、これら回路基板は、一連のボタン１１５を含むメイン回路基板１７０と、増幅器（図示せず）を含む増幅器ボード１７５と、ブーストコンバータ（図示せず）を含むブーストボード１８０と、ＤＣ電源コネクタ１２５とコネクタ１３０内の補助装置とを含む入力／出力ボード１８５と、を含む。取り外し可能な単一のバッテリーモジュール１９０が、第１のドライバ１５０ａと第２のドライバ１５０ｂとの間に且つ実質的に第１のパッシブラジエータ１６０ａの後方に配置されている。
【００１５】
ここで図３及び図４を参照すると、ラウドスピーカー１００の追加的な構成要素が示されている。第１のグリル１１０ａに相当するサイズ及び形状の第２のスピーカーグリル１１０ｂが、第１のグリル１１０ａの反対側に位置決めされ、且つラウドスピーカー１００の後方部分に沿って延在している。前方バッフル１９５ａが、複数のバッフル締結具１９７ａ、例えばネジ山転造六角ネジを介してハウジング１０５の前方部分に取り付けられ、これらバッフル締結具は、ハウジング１０５に含まれる一連の押出ボス１９８に取り付けられている。締結具１９７ａは、第１の電気音響ドライバ１５０ａ，１５０ｂの一連の孔を通って延在して、ハウジング１０５にドライバ１５０ａ，１５０ｂを取り付けている。後方バッフル１９５ｂが、前方バッフル１９５ａの反対側のハウジング１０５の後方部分に複数のバッフル締結具１９７ｂ、例えばネジ山転造六角ネジを介して取り付けられ、これらバッフル締結具は、ハウジング１０５に含まれる一連の押出ボス１９８に取り付けられている。前方スピーカーガスケット２００ａが前方バッフル１９５ａに取り付けられ、後方スピーカーガスケット２００ｂが後方バッフル１９５ｂに取り付けられる。ボタン群１１５、レンズ１２０及びレンズ組立体２０５が、ハウジング１０５の頂部の開口部内に配置されている。バッテリーアクセスドア（又は脚）２１０が、ハウジング１０５の底部に取り外し可能に取り付けられ、これにより、バッテリー１９０のアクセス、挿入及び取り出しを可能にする。いくつかの例では、ドア２１０は、テザー２１５を介してハウジング１０５に結合されたままである。アクセスドア２１０は、例えばゴムから作られており、且つユニットが水平レベル面に位置しているときにラウドスピーカー１００のために適合した滑り止め基部としても機能する。いくつかの例では、ハウジング１０５は、バッフル１９５ａ，１９５ｂ、前方スピーカーガスケット２００ａ、後方スピーカーガスケット２００ｂ、第１のドライバ１５０ａ、第２のドライバ１５０ｂ及びバッテリー１９０とともに、ハウジング１０５内での実質的に気密の音響体積を規定する。一例では、音響体積は、１００立方センチメートルから２００立方センチメートル（ｃｃ）の間であり、他の例では、音響体積は、１００ｃｃから１５０ｃｃの間であり、さらに他の例では、音響体積は、１２０ｃｃから１３０ｃｃの間である。この例では、ハウジング１０５は、上述した構成要素とともに、およそ平行六面体の形態の内部三次元音響体積を画成する。他の例では、画成された音響体積は、六面体、多面体、シリンダ、球の一部、円錐セクション、プリズム又は他の形状である。
【００１６】
ラウドスピーカー１００の稼働中に、いくつかの例では、音響体積の最大圧力（すなわち内部箱圧力）は、０．２５ポンド毎平方インチから１．５ポンド毎平方インチ（ｐｓｉ）の間であり、他の例では、圧力は、０．５ｐｓｉから１．２５ｐｓｉの間であり、さらに他の例では、圧力は、０．７５ｐｓｉから１．０ｐｓｉの間である。ドライバ１５０ａ，１５０ｂは、ラウドスピーカー１００の内部の音響体積に音響的にエネルギーを与え、これは、第１のパッシブラジエータ１６０ａ及び第２のパッシブラジエータ１６０ｂを振動させて音波を放たせる。いくつかの例では、第１のパッシブラジエータ１６０ａ及び第２のパッシブラジエータ１６０ｂの振動面は、略平行である。いくつかの例では、第１の電気音響ドライバ１５０ａの振動面と、第１のパッシブラジエータ１６０ａの振動面と、は、略同一平面上にある。他の例では、第１の電気音響ドライバ１５０ａ及び第２の電気音響ドライバ１５０ｂの振動面と、第１のパッシブラジエータ１６０ａの振動面と、は、すべて略同一平面上にある。
【００１７】
前方スピーカーグリル１１０ａ及び後方スピーカーグリル１１０ｂは、それぞれ前方スピーカーガスケット２００ａ及び後方スピーカーガスケット２００ｂに取り付けられている。いくつかの例では、第１のパッシブラジエータ１６０ａの周辺に対応するように構成された第１の接着リング２２５ａ（図４）、例えばＶＨＢ感圧接着剤が、前方グリル１１０ａと前方スピーカーバッフル１９５ａとの間の接着を提供する。同様に、第２のパッシブラジエータ１６０ｂの周辺に対応するように構成された第２の接着リング２２５ｂ（図４）が、後方グリル１１０ｂと後方スピーカーバッフル１９５ｂとの間の接着を提供する。前方スピーカーグリル１１０ａ及び後方スピーカーグリル１１０ｂは、実質的に音響的に透過であり、且つ第１のトランスデューサ１５０ａ及び第２のトランスデューサ１５０ｂと第１のパッシブラジエータ１６０ａ及び第２のパッシブラジエータ１６０ｂとのための装飾的カバー及び保護を提供する。バッテリーモジュール１９０は、一連の締結具２３５を介してハウジング１０５の下方部分の開口部に取り外し可能に取り付けられ、これら締結具は、バッテリーモジュール１９０の基部に沿って延在するフランジ２４０の対応する一連の孔を通って延在する。ハウジング１０５にシールされると、バッテリーモジュール１９０は、いくつかの例では音響体積の一部分を規定する。ワイヤハーネス２５０が、ハウジング１０５内のさまざまな構成要素を電気的に接続する。いくつかの例では、ハーネス２５０は、ラウドスピーカー１００が稼働中である間の望ましくない振動又は騒音(buzzing)を軽減するために、発泡層が設けられてもよい。さらに他の例では、１つ以上の発泡要素２５５が、ハウジング１０５内のさまざまな場所で閉じ込められ、これにより、ラウドスピーカーが稼働中である間の望ましくない振動又は騒音を軽減することができる。回路基板コネクタ２６０ａ及び２６０ｂが、ラウドスピーカー１００の回路基板を電気的に接続する。コネクタ２６０ａは、メインボード１７０をブーストボード１８０と電気的に接続する。コネクタ２６０ｂは、メインボード１７０をＩ／Ｏボード１８５と電気的に接続する。コネクタ２６０ａ，２６０ｂは、例えば、平坦なフレキシブルコネクタ又はフレキシブルＰＣＢタイプコネクタである。
【００１８】
図５及び図６を参照すると、取り外し可能な単一のバッテリーモジュール１９０は、第１のドライバ１５０ａと第２のドライバ１５０ｂとの間且つ第１のパッシブラジエータ１６０ａと第２のパッシブラジエータ１６０ｂとの間に配置されている。いくつかの例では、バッテリーモジュール１９０は、実質的にハウジング１０５の下方部分からハウジング１０５の上方部分へ延在し、且つ第１のパッシブラジエータ１６０ａと第２のパッシブラジエータ１６０ｂとの間の中央に位置付けられている。パッシブラジエータ１６０ａ，１６０ｂの間にバッテリーモジュール１９０を位置づけることは、所定の音響体積に対するラウドスピーカー１００の全サイズの減少と、さらに、ハウジング１０５上に多数の音響要素、例えば第１のドライバ及び第２のドライバ並びに第１のパッシブラジエータ１６０ａ及び第２のパッシブラジエータ１６０ｂを収容することと、をもたらす。
【００１９】
いくつかの例では、パッシブラジエータ１６０ａ，１６０ｂは、平行、好ましくは同軸の運動方向で駆動され、これらの方向は、音響的に互いに同位相であり、且つ機械的に互いに位相が異なっている。単一のハウジング内で２つのパッシブラジエータを使用することは、パッシブラジエータと関連する慣性力がキャンセルされる可能性があることと、各個々のパッシブラジエータがより小さくされる可能性があることと、の理由から有利である。これは、デバイスのハウジングの表面積が単一のパッシブラジエータを収容するのに十分大きくなくてもよいので、小型の非常にポータブルなデバイスに対して特に有利である。
【００２０】
図７Ａから図７Ｇ及び図８Ａから図８Ｄをまとめて参照すると、後方スピーカーガスケット２００ｂ及び前方スピーカーガスケット２００ａそれぞれのさらなる細部が示される。スピーカーガスケット２００ａ，２００ｂは、スピーカーグリル１１０ａ，１１０ｂ（図３及び図４）と前方スピーカーバッフル１９５ａ及び後方スピーカーバッフル１９５ｂ（図４）との間にそれぞれ位置決めされ、且つグリル１１０ａ，１１０ｂ及びバッフル１９５ａ，１９５ｂの間の振動をそれぞれ最小化するために働く。いくつかの例では、ガスケット２００ａ，２００ｂは、前方スピーカーグリル１１０ａ及び後方スピーカーグリル１１０ｂを前方スピーカーバッフル１９５ａ及び後方スピーカーバッフル１９５ｂに固定するように構成されてもよい。
【００２１】
いくつかの例では、ガスケット２００ａ，２００ｂは、７０デュロメーターのシリコンゴムから作られてもよい。ガスケット２００ａ，２００ｂの各々は、第１のパッシブラジエータ１６０ａ及び第２のパッシブラジエータ１６０ｂをそれぞれ収容するために中心開口部２７０ａ，２７０ｂを含む。また、前方スピーカーガスケット２００ａは、第１の電気音響ドライバ１５０ａ及び第２の電気音響ドライバ１５０ｂをそれぞれ収容するために第１のドライバ開口部２８０ａ及び第２のドライバ開口部２８０ｂを含む。前方周辺リング２７５ａ，２７５ｂが、外周に沿って延在し、且つ前方スピーカーグリル１１０ａ及び後方スピーカーグリル１１０ｂ（図３及び図４）を受けて係合するためにアンダーカット２８０ａ，２８０ｂを含む。いくつかの例では、スロット２９０ａが、ガスケット２００ａの外周に沿って位置づけられ、これにより、前方スピーカーグリル１１０ａの外周から延在するタブ１１２ａ（図３及び図４）を受ける。同様に、スロット２９０ｂが、ガスケット２００ｂの外周に沿って位置づけられ、これにより、後方スピーカーグリル１１０ｂの外周から延在するタブ１１２ｂ（図３及び図４）を受ける。
【００２２】
いくつかの例では、グリル１１０ａ，１１０ｂは、薄いスチールから作られ、且つ音響透過性のために極小のミシン目を含む。スチールグリル１１０ａ，１１０ｂの物理的性質は、高いＱ値を生み出し、これは、前方スピーカーガスケット２００ａ及び後方スピーカーガスケット２００ｂそれぞれ並びに／又は前方スピーカーバッフル１９５ａ及び後方スピーカーバッフル１９５ｂそれぞれとの望ましくない振動係合をもたらす可能性がある。ラウドスピーカーの構成要素の間でのこの振動係合は、望ましくない騒音につながる可能性がある。別の状況では特に極めて高い内部圧力を有する音響体積に重大であり且つ多数の構成要素によって決定される可能性のあるこの騒音を減少又は排除するために、後方ガスケット２００ｂは、第１の領域３０５内に位置づけられたエネルギー誘導体３００の第１のセットと、第２の領域３１５内に位置づけられたエネルギー誘導体３０５の第２のセットと、を含む。特に図７Ｆ及び図７Ｇを参照すると、いくつかの例では、後方ガスケット２００ｂの逆側は、矩形の押出部３２５から延在するエネルギー誘導体３２０も含み、これら押出部は、後方ガスケット２００ｂに含まれ、且つ誘導体３２０を適切に位置決めし、これにより、後方スピーカーバッフル１９５ｂの対向する面と係合して望ましくない騒音及び振動を最小化させる。
【００２３】
同様に、前方ガスケット２００ａは、中心開口部２７０ａの両側に位置づけられたエネルギー誘導体３３０の第３のセット及びエネルギー誘導体３３５の第４のセットを含む。
【００２４】
いくつかの例では、エネルギー誘導体３００，３０５，３３０，３３５の数、サイズ及び形態は、前方バッフル１９５ａ及び後方バッフル１９５ｂの対向する表面上の機能部分に対応している。図８Ｅに示される例では、エネルギー誘導体３００，３０５，３３０，３３５は三角形の断面を有するが、正方形、半球、凹状及び凸状を含む他の断面が考えられる。エネルギー誘導体３００，３０５，３３０，３３５の各セットは、対向する表面と適切に係合して望ましくない騒音及び振動を最小化させるために、平行、直交又は他の形態で配置することができる。いくつかの例では、エネルギー誘導体３００，３０５，３３０，３３５は、バッフル１９５ａ，１９５ｂと隣り合う構成要素によって強制的に圧縮され、それにより、バッフル１９５ａ，１９５を実質的に不動とさせて騒音を最小化させる。
【００２５】
図９Ａから図９Ｆをまとめて参照すると、パッシブラジエータ１６０のさらなる細部が示される。パッシブラジエータを利用することは、低い周波数出力を増大させるためにいくつかの用途においてポート付き音響構造体を使用することに関して有利である。これは、パッシブラジエータが、粘性のロス、ポートノイズ及び代表的なポート構造体以外の流量と関連する他のロスが低い傾向があるためである。さらに、パッシブラジエータは、より小さいスペースを占めるように構成することができ、これは、パッシブラジエータがコンパクトなラウドスピーカーハウジングで使用されるときに特に重要である。パッシブラジエータ１６０は、一連の孔３４５を有する外側フレーム３４０を含み、所定のバッフル締結具１９７ａ、１９７ｂが、これらの孔３４５を通って延在してハウジング１０５の押出ボス１９８と係合し、これにより、パッシブラジエータ１６０を前方バッフル１９５ａ及び後方バッフル１９５ｂに固定し、且つラウドスピーカー１００の音響体積の一部分を画成する。いくつかの例では、外側フレーム３４０は、熱可塑性ポリエステルエンジニアリング樹脂、例えば、Celanese, 222 W. Las Colinas Blvd, Suite 900N, Irving Texas 75039で販売されている３０％ガラス充填のポリブチレンテレフタレート樹脂から形成される。
【００２６】
包囲部３５０が、複数の概略平面的メンブレンセクション３５５を含み、これらセクション３５５は、フレーム３４０を内側縁部３５８に接続する外側縁部３５７から径方向に延在している。いくつかの例では、メンブレンセクションは、アーチ形の凹形状であり（メンブレンセクション３５５）、且つアーチ形の凸形状である（メンブレンセクション３６０）。径方向リブ３６５が、メンブレンセクション３５５，３６０の間で且つ包囲部３５０における内側縁部３５８から外側縁部３５７へ延在している。包囲部３５０の内側縁部３５８は、音響波を生成するために前後に往復運動するダイアフラム（又はピストン）３５９に接続する。ダイアフラムの運動は、偏位とも称される。停止時には、ダイアフラム３５９は中立位置にあり、且つダイアフラム３５９が最大及び最小振幅であるときには、ダイアフラムは最大偏位であると称することができる。いくつかの例では、包囲部３５０は、直線形の凹形状メンブレンセクション３７０と、直線形の凸形状メンブレンセクション３７５と、も含む。径方向リブ３８０が、メンブレンセクション３７０，３７５の間で且つ包囲部３５０における内側縁部３５８から外側縁部３５７へ延在している。いくつかの例では、メンブレンセクションは、凹状のメンブレンセクション３５５，３７０から凸状のメンブレンセクション３６０，３７５に周方向において交互に並ぶ。いくつかの例では、包囲部３５０は、概略長円形状であり、且つ４つの直線形メンブレンセクション及び４つのアーチ形メンブレンセクションを含む。ダイアフラムは、フレームと同じ材料、例えば上述したポリブチレンテレフタレート樹脂から形成することができる。いくつかの例では、ダイアフラム３５９は、硬い材料、例えばスチールから形成されたウエイト（又はマス）３８５を含む。スチールウエイトは、いくつかの例では２０グラムから５０グラムの間の質量、他の例では３０グラムから５０グラムの間の質量及びさらに他の例では４０グラムから４５グラムの間の質量を有している。スチールウエイト３８５は、ダイアフラム３５９内にインサート成形することができる。図９Ａに示されるように、いくつかの例では、インサート成形プロセスが、ウエイトとダイアフラム３５９との間の接着を強化するために成形キャップ特性３９０を含むことができる。ウエイト３８５は、組み立てプロセス中にウエイトを回収して配置するための止まり孔３９５を含むことができる。いくつかの例では、ウエイト３８５を含むことは、パッシブラジエータ１６０を所望の周波数帯域にチューニングすることを可能にする。いくつかの例では、ラウドスピーカー１００のパッシブラジエータ１６０は、６０Ｈｚから１００Ｈｚの間の周波数帯域にチューニングされ、他の例では、パッシブラジエータ１６０は、６５Ｈｚから８５Ｈｚの間の周波数帯域にチューニングされ、さらに他の例では、パッシブラジエータは、６５Ｈｚから７５Ｈｚの間の周波数帯域にチューニングされる。
【００２７】
特に、図９Ｆを参照すると、ダイアフラム３５９のウエイト３８５は、一連のノッチ４００を含み、ダイアフラム３５９の成形材料は、ノッチ４００内に流入し、これにより、ダイアフラム３５９のノッチ４００とウエイト３８５との間に一連のダブテールジョイント４０５を形成する。成形キャップ特性３９０は、ダイアフラム３５９とウエイト３８５との間の接着をさらに強化するためにダブテールジョイント４０５の上に形成される。また、ダイアフラム３５９のウエイト３８５は、一連の周方向面取り部４１０を含み、これら面取り部４１０は、ダイアフラムが往復運動にさらされるときにダイアフラム３５９の材料がウエイト３８５をより安定的に保持することを可能にする。周方向溝４１５が、ダイアフラム３５９の片側又は両側に沿って延在し、且つ包囲部３５０の対応する周方向リッジによって係合され、これにより、包囲部３５０とダイアフラム３５９との間の結合を向上する。周方向溝４２０が、外側フレーム３４０に沿って延在し、且つ包囲部３５０の外側縁部３５７の対応する周方向リッジによって係合され、これにより、包囲部３５０と外側フレーム３４０との間の結合を向上する。ウエイト３８５とダイアフラム３５９との間の結合、ダイアフラム３５９と包囲部３５０との間の結合及び包囲部３５０と外側フレームとの間の結合は、例えば２又は３ショット射出成形プロセスによって形成される。
【００２８】
図１０を参照すると、充電クレードル（又はドッキングステーション）５００が、ラウドスピーカー１００と結合するように構成されている。充電クレードル５００は、充電クレードル５００の凹部領域５０５を有するハウジング５０３を含み、凹部領域５０５は、ハウジング１０５の下面を受け、且ついくつかの例ではハウジング１０５の表面から突出することができるバッテリードア２１０を収容するように構成されている。係合ストリップ５１０ａ，５１０ｂが、凹部５０５の両側でクレードル５００の縁部に沿って延在し、且つハウジング１０５の下面と係合するように構成されている。ストリップ５１０ａ，５１０ｂは、柔軟材料、例えばいくつかの例ではゴムから作られ、これにより、クレードル５００内に配置されるときにラウドスピーカー１００を固定して安定させる。ＤＣ電源コネクタ５１５が、電力供給部（図示せず）に接続し、これにより、ラウドスピーカー１００に電力を供給するか又は再充電可能な単一のバッテリーモジュール１９０を充電する。電源コネクタ５１５は、ＤＣ電源コネクタ１２５（図１）と同じ電力供給部を収容することができる。電気的接触ピン５２０が、充電クレードル５００の一端部から延在し、且つハウジング１０５の下面の対応する電気的接触パッド（図示せず）と係合するように構成され、これにより、ラウドスピーカー１００に電力を供給する。いくつかの例では、接触ピン５２０は、ハウジング１０５上の接触パッドに向かう上方への付勢を提供するためにバネ搭載式であり、これにより、対向する接触ピン５２０と接触パッドとの間の物理的接触を確立して維持する。接触ピン５２０は、ハウジング５０３の内部の（擬似的に示されている）入力／出力ボード５２５上に位置づけられている。整列ピン５３０が、ハウジング５０３から上方に延在し、ラウドスピーカーのハウジング１０５の下面の対応する凹部（図示せず）と係合するように構成され、これにより、ラウドスピーカーが充電クレードル５００上に配置されるときに接触ピン５２０がハウジング１０５の接触パッドに対して適切に設置されることを保証する。いくつかの例では、多数の整列ピン５３０が、ハウジング１０５の下面の対応する凹部（図示せず）と係合するためにハウジング５０３の同じ側又は両側の端部で使用されてもよい。
【００２９】
複数の実施が説明された。とはいうものの、さらなる修正が、本明細書で説明された本発明のコンセプトの精神及び範囲から逸脱することなくなされてもよく、従って他の実施形態が以下の特許請求の範囲の範囲内に含まれることが理解されるであろう。
【符号の説明】
【００３０】
１０５  ハウジング、１１０ａ  第１のスピーカーグリル、１５０ａ  第１の電気音響ドライバ、１５０ｂ  第２の電気音響ドライバ、１６０ａ  第１のパッシブラジエータ、１６０ｂ  第２のパッシブラジエータ、１９０  バッテリーモジュール、２００ａ  前方スピーカーガスケット、３００  第１のエネルギー誘導体、３０５  第２のエネルギー誘導体、３５０  包囲部、３５５，３７０  第１のメンブレンセクション、３５９  ダイアフラム、３６０，３７５  第２のメンブレンセクション、３８５  ウエイト、４００  ノッチ
【図１】
2016524410.tif 000003
【図２】
2016524410.tif 000004
【図３】
2016524410.tif 000005
【図４】
2016524410.tif 000006
【図５】
2016524410.tif 000007
【図６】
2016524410.tif 000008
【図７Ａ】
2016524410.tif 000009
【図７Ｂ】
2016524410.tif 000010
【図７Ｃ】
2016524410.tif 000011
【図７Ｄ】
2016524410.tif 000012
【図７Ｅ】
2016524410.tif 000013
【図７Ｆ】
2016524410.tif 000014
【図７Ｇ】
2016524410.tif 000015
【図８Ａ】
2016524410.tif 000016
【図８Ｂ】
2016524410.tif 000017
【図８Ｃ】
2016524410.tif 000018
【図８Ｄ】
2016524410.tif 000019
【図８Ｅ】
2016524410.tif 000020
【図９Ａ】
2016524410.tif 000021
【図９Ｂ】
2016524410.tif 000022
【図９Ｃ】
2016524410.tif 000023
【図９Ｄ】
2016524410.tif 000024
【図９Ｅ】
2016524410.tif 000025
【図９Ｆ】
2016524410.tif 000026
【図１０】
2016524410.tif 000027
【国際調査報告】
2016524410.tif 000028
2016524410.tif 000029